(57)【要約】【課題】塵埃による悪臭を長期間に渡って、しかも効果的に脱臭し、且つ、集塵袋の保管時に脱臭剤がこぼれ出ることもなく使い勝手の良い電気掃除機用集塵袋を提供する。【解決手段】通気性を有する紙袋等の慮材からなる集塵を収集する袋状体１１と、前記袋状体１１の吸い込み口２６側に、塵埃吸引用の開口部１２を有すると共に掃除機本体１５内に装着される口芯１３と、前記口芯１３の吸い込み口側には、塵埃がこぼれるのを防ぐ遮蔽板１４とを備え、前記袋状体１１と、前記口芯１３との間には、前記開口部１２に連通する排出口２４を有し、内部には粒状又は粉状の脱臭剤１６を収納した収納ケース１７を具備し、前記収納ケース１７の脱臭剤１６を排出する排出口２４には、接着自在に、前記排出口２４を覆う覆部材２７が配設されており、前記覆部材２７を、前記口芯１３と前記遮蔽板１４との間に配設させたものである。【選択図】図１
2007037817.tif 000002
【特許請求の範囲】
【請求項１】
通気性を有する紙袋等の慮材からなる塵埃を収集する袋状体と、前記袋状体の吸い込み口側に設けられ、塵埃吸引用の開口部を有すると共に掃除機本体内に装着される口芯と、前記口芯の吸い込み口側に設けられ、塵埃がこぼれるのを防ぐ遮蔽板とを備え、前記袋状体と前記口芯との間には、前記開口部に連通する排出口を有し、内部には粒状又は粉状の脱臭剤を収納した収納ケースを具備し、前記収納ケースの脱臭剤を排出する排出口には、接着自在に前記排出口を覆う覆部材を配設し、前記覆部材を前記口芯と前記遮蔽板との間に配設した電気掃除機用集塵袋。
【請求項２】
覆部材の一端を口芯の外周面より突出する突出部とした請求項１に記載の電気掃除機用集塵袋。
【請求項３】
覆部材の一端を口芯の外周面より突出する突出部とし、前記覆部材の突出部で、前記口芯の外周面近傍に、折返し部を設けた請求項１又は２に記載の電気掃除機用集塵袋。
【請求項４】
遮蔽板の一部に切り欠き部を形成し、前記切り欠き部に、覆部材の一端が挟まれ、前記覆部材が固定された構成とした請求項１〜３のいずれか１項に記載の電気掃除機用集塵袋。
【請求項５】
覆部材の一端の一部に接着部を形成し、前記接着部を口芯もしくは遮蔽板に着脱自在に接着させた請求項１〜４のいずれか１項に記載の電気掃除機用集塵袋。
【請求項６】
覆部材の一端の一部に接着部を形成し、前記接着部を遮蔽板の表面に着脱自在に接着させた請求項１〜５のいずれか１項に記載の電気掃除機用集塵袋。
【請求項７】
請求項１〜６のいずれか１項記載の電気掃除機用集塵袋を用いた電気掃除機。
【発明の詳細な説明】
【技術分野】
【０００１】
本発明は、電気掃除機用集塵袋及び電気掃除機に関するもので、特に、電気掃除機用集塵袋内に堆積した塵埃の脱臭に関するものである。
【背景技術】
【０００２】
従来の電気掃除機用集塵袋内の塵埃から発する臭気の脱臭方法として、電気掃除機に、電気掃除機用集塵袋の口芯部を支持するフィルター台を設け、そのフィルター台に消臭芳香剤を設置したものがあった（例えば、特許文献１参照）。
【０００３】
図９は、上記特許文献１に開示された電気掃除機の断面図を示すもので、電気掃除機本体１の前方には、集塵用ホース（図示せず）を着脱自在に接続する吸気口２と、この吸気口２に連通する集塵室３が設けられ、集塵室３内空間には、電気掃除機用集塵袋４の口芯部５を支持するフィルター台６が設けられており、このフィルター台６に、消臭芳香剤７が設置されていた。
【特許文献１】特許第２８１００９０号公報
【発明の開示】
【発明が解決しようとする課題】
【０００４】
しかしながら、上記特許文献１に記載された構成は、集塵室３内空間に消臭芳香剤６を設置して、集塵室３内に消臭成分を飛散させて、電気掃除機用集塵袋４内の塵埃の消臭を行い、運転時の排気臭を緩和させるようにしたものであるが、消臭芳香剤７は、塵埃の臭気に香りを混合させて、排気臭を緩和しようとするものであり、根本的な臭気の除去には至らず、吸引した塵埃の種類によっては、不快な異臭として電気掃除機本体１から排気されるという課題を有していた。
【０００５】
また、電気掃除機用集塵袋４の口芯部５と、消臭芳香剤６との配置関係が不明で消臭芳香剤６の固定方法が明確に開示されていない為、電気掃除機用集塵袋４を集塵室３に係止させる際、もしくは、電気掃除機用集塵袋４を集塵室３から取出す際に、消臭芳香剤６が漏れてくる恐れが考えられた。
【０００６】
本発明は、上記従来の課題を解決するもので、安価な構成で、電気掃除機用集塵袋内の塵埃の量や貯留期間に関係なく、掃除機本体使用時の排気に含まれる塵埃由来の臭気を大幅に低減し、且つ、消臭芳香剤６の漏れを抑え勝手の良い電気掃除機用集塵袋及び電気掃除機を提供することを目的とする。
【課題を解決するための手段】
【０００７】
前記従来の課題を解決するために本発明は、通気性を有する紙袋等の慮材からなる塵埃を収集する袋状体と、前記袋状体の吸い込み口側に、塵埃吸引用の開口部を有すると共に掃除機本体内に装着される口芯と、前記口芯の吸い込み口側には、塵埃がこぼれるのを防ぐ遮蔽板とを備え、前記袋状体と、前記口芯との間には、前記開口部に連通する排出口を有し、内部には粒状又は粉状の脱臭剤を収納した収納ケースを具備し、前記収納ケースの脱臭剤を排出する排出口には、接着自在に、前記排出口を覆う覆部材が配設されており、前記覆部材を、前記口芯と前記遮蔽板との間に配設させたものである。
【０００８】
これによって、脱臭剤を収納した収納ケースの排出口を塞ぐ覆部材は、口芯と遮蔽板とに挟まれ係合され、覆部材のガタ付きを抑えるころが可能となる。
【０００９】
その結果、電気掃除機本体に、電気掃除機用集塵袋を、取付けたり、取外したりする際に起こる、振動や、衝撃に対しても、覆部材のガタ付きが抑えられ、脱臭剤を収納した収納ケースの排出口を塞ぐ覆部材から脱臭材が漏れ出すことがなくなる。
【００１０】
また、覆部材を取外すことより、掃除機本体による塵埃吸引時の吸引風で、収納ケース内の粒状又は粉状の脱臭剤が排出口から排出され、それが、吸引される塵埃と混合して袋状体内に堆積することにより、脱臭効果が持続され、常に快適に掃除を行うことができ、使用勝手が良い電気掃除機を提供することができる。
【発明の効果】
【００１１】
本発明の電気掃除機用集塵袋及び電気掃除機は、塵埃由来の悪臭が排気に含まれるのを大幅に低減し、かつ、脱臭剤の飛散を抑制させ、廉価な構成で使い勝手を向上させることができる。
【発明を実施するための最良の形態】
【００１２】
第１の発明は、通気性を有する紙袋等の慮材からなる袋状体と、前記袋状体の吸い込み口側に設けられ、塵埃吸引用の開口部を有すると共に掃除機本体内に装着される口芯と、前記口芯の吸い込み口側に設けられ、塵埃がこぼれるのを防ぐ遮蔽板とを備え、前記袋状体と前記口芯との間には、前記開口部に連通する排出口を有し、内部には粒状又は粉状の脱臭剤を収納した収納ケースを具備し、前記収納ケースの脱臭剤を排出する排出口には、接着自在に前記排出口を覆う覆部材を配設し、前記覆部材を前記口芯と前記遮蔽板との間に配設したもので、この覆部材を、排出口から外すことより、吸引風によって、収納ケース内の粒状又は粉状の脱臭剤が排出口から排出され、それが、吸引される塵埃と混合して袋状体内に堆積することにより、塵埃と脱臭剤の接触面積が極めて広く、しかも脱臭剤が、電気掃除機用集塵袋が廃棄或いは、袋状体が空にされるまで残っているので、脱臭効果が大きくしかも長時間持続できるので、常に快適に掃除を行うことができる。また、覆部材は、口芯と遮蔽板とに挟まれ係合されている為、電気掃除機本体に、電気掃除機用集塵袋を、取付けたり、取外したりする際に起こる、振動や、衝撃に対しても、覆部材のガタ付きが抑制され、脱臭剤を収納した収納ケースの排出口を塞ぐ覆部材から容易に脱臭材が漏れ出すことがなくなり、使用勝手が向上する。
【００１３】
第２の発明は、特に、第１の発明の覆部材の一端を口芯の外周面より突出する突出部とし、前記突出部を引き抜くことで、収納ケースの排出口を開口させることが可能となり、覆部材を容易に引き抜くことができる。
【００１４】
第３の発明は、特に、第１又は第２の発明の覆部材の一端を口芯の外周面より突出する突出部とし、前記覆部材の突出部で、前記口芯の外周面近傍に、折返し部を設けたことより、突出部と、口芯の外周面とが、係止されることとなり、覆部材のガタ付きを廉価な構成で防止でき、結果、収納ケースの排出口を塞ぐ覆部材から脱臭材が漏れ出すことがなくなる。
【００１５】
第４の発明は、特に、第１〜３のいずれか一つの発明で、遮蔽板の一部に切り欠き部を形成し、この切り欠き部に、覆部材の一端が挟まれ、前記覆部材が固定させることより、簡単な形状で、覆部材のガタ付きを防止でき、収納ケースの排出口を塞ぐ覆部材から脱臭材が漏れ出すことがなくなる。
【００１６】
第５の発明は、特に、第１〜４のいずれか一つの発明で、覆部材の一端の一部に接着部を形成し、この接着部を口芯もしくは、遮蔽板に着脱自在に接着させることより、確実に、覆部材のガタ付きを防止でき、その結果、収納ケースの排出口を塞ぐ覆部材から脱臭材が漏れ出すことがなくなる。
【００１７】
第６の発明は、特に、第１〜５のいずれか一つの発明で、覆部材の一端の一部に接着部を形成し、前記接着部を、遮蔽板の表面に着脱自在に接着さることより、覆部材を、口芯と遮蔽板との間に配設させることがなくなり、覆部材の組立て性が向上する、また、覆部材のガタ付きを抑制させることが可能となる。
【００１８】
以下、本発明の実施の形態について、図面を参照しながら説明する。なお、この実施の形態によりこの発明が限定されるものではない。
【００１９】
（実施の形態１）
図１、図２において、本実施の形態における電気掃除機用集塵袋１０（以下“集塵袋１０”という）は、通気性を有する紙等の濾材からなる塵埃を収集する袋状体１１と、塵埃吸引用の開口部１２を有し厚紙又は樹脂材で形成された口芯１３とからなり、前記口芯１３の表面には、前記口芯１３の開口部１２を遮蔽し、塵埃もれを防止する摺動自在に動く遮蔽板１４が設けられている。また、口芯１３の裏面（掃除機本体１５に装着した時に、吸引風の下流側になる面）に取着されると共に粒状又は粉状の脱臭剤１６を収納する収納ケース１７を有している。
【００２０】
また袋状体１１は、収納ケース１７の裏面に接着して取り付けられている。
【００２１】
また、遮蔽板１４は、図３、図４に示すように二つ折りとなっており、折り返し線１８を中心に摺動側遮蔽板１９と、口芯１３に遮蔽板１４を固定する接着部１９を両側に配置した固定側遮蔽板２０からなっている。口芯１３の上部に切り離し自在なつまみ部２１が配置しており、つまみ部２１の表面にて遮蔽板１４の摺動側遮蔽板１９の上部とのみ接着されている。この構成より、つまみ部２１をちぎって引き上げることより、摺動側遮蔽板１９が摺動し袋状体１１に溜まった塵埃がこぼれないよう口芯１３の開口部１２を遮蔽させることとなる。
【００２２】
また、図１、図２において、収納ケース１７は、開口部２２を備え、その開口部２２を形成すると共に口芯１３の開口部１２から流入する吸引風の流れと平行な内周面２３には、収納ケース１７の内部と開口部２２とを連通し、内部に収納された脱臭剤１６が排出される排出口２４が設けられている。
【００２３】
また、収納ケース１７の上端には、収納ケース１７内に脱臭剤１６を投入した後に閉じられる蓋２５が設けられている。
【００２４】
集塵袋１０の組み立ての際には、言うまでもなく、口芯１３の開口部１２と、収納ケース１７の開口部２２及び袋状体１１の吸い込み口２６が連通するように、それぞれの位置を合致させて取着される。
【００２５】
また、図３、図４において、収納ケース１７には、運搬時、脱臭剤１６の洩れを防止する為、覆部材２７が配設されており、覆部材２７の一部は、収納ケース１７の排出口２４を覆うように接着固定されており、もう一端２８は、口芯１３に貼り付けられた、摺動側遮蔽板１９と、固定側遮蔽板２０との間に挟まれ係止されている。
【００２６】
図５、図６において、掃除機本体１５は、後部に走行用の後輪２９が一対、前部に同じく走行用の前輪キャスター３０がそれぞれ設けられている。掃除機本体１５の前面には、後述の集塵室３１に連通する吸気口３２が設けられ、この吸気口３２にホース３３の一端に設けた接続パイプ３４が接続され、ホース３３の他端には、掃除機本体１５を使用する際に操作する先端パイプ３５が設けられている。さらに先端パイプ３５は、延長管３６を介して床用吸い込み具３７に接続されている。
【００２７】
掃除機本体１５の前方に配設された集塵室３１には、集塵袋１０が装着自在に収納されており、集塵室３１の上部には集塵蓋３８が開閉自在に設けられている。
【００２８】
集塵室３１の後部に、吸引風を発生させる電動送風機３９を収納する電動送風機室４０が、背面に電動送風機室４０と外部を連通し、電動送風機３９からの排気風を排出する排気口４１がそれぞれ配されている。４２は、集塵室３１と電動送風機室４０とを仕切る隔壁で、集塵室３１と電動送風機室４０とを連通する格子状の開口４３が設けられている。
【００２９】
掃除機本体１５の前部に設けた吸気口３２の後端に、ゴム、塩化ビニール、シリコーンなどの弾性材料からなり後方に円環状のリップ４４を有するパッキン４５が設けられている。
【００３０】
図７において、掃除機本体１５への集塵袋１０の装着は、まず集塵袋１０の口芯１３の下端を掃除機本体１５の底部に設けた溝部４６に挿入し、口芯１３の上端を、掃除機本体１５に、傾動自在に設けられたフック４７に引っ掛けることにより完了する。なお口芯１３が所定に位置に取り付けられている状態では、パッキン４５のリップ４４が口芯１３の開口部１２の周縁に圧接され、気密を保つようになっている。
【００３１】
以上のように構成された電気掃除機及び電気掃除機用集塵袋の動作、作用を説明する。
【００３２】
掃除機本体１５の集塵室３１に装着された集塵袋１０の、覆部材２７を、図７で示すように矢印方向に引き剥がす。次に掃除機本体１７から導出した電源コード（図示せず）のプラグ（図示せず）を壁コンセント（図示せず）に差し込み、先端パイプ３５に設けたスイッチ３５ａを操作すると、電動送風機３９の運転が開始し、それによって発生した吸引力が、ホース３３、延長管３６を経て、床用吸い込み具３７の底面に設けた吸い込み口（図示せず）に作用し、周囲の空気と共に、床面の塵埃が吸引される。
【００３３】
床用吸い込み具３７の吸い込み口から流入した空気は吸引風となって、塵埃と共に、延長管３６、ホース３３、吸気口３２て、口芯１３の開口部１２、収納ケース１７の開口部２２、袋状体１１の吸引口２６を通って、袋状体１１内に流入し、そこで塵埃が捕集され、きれいになった空気が、電動送風機３９を通って、排気口４１から外部に排出される。
【００３４】
そして、塵埃を含んだ吸引風が、収納ケース１７の開口部２２を通過する際に、図７に示すように、排出口２４を通して収納ケース１７内にエゼクター効果による吸引力が作用し、内部に収納された粒状又は紛状の脱臭剤１６が排出口２４から排出され、その排出された脱臭剤１６が塵埃と交じり合いながら、袋状体１１内に入り奥側（電動送風機３９側）から堆積していく。
【００３５】
以上のように、上記実施の形態によれば、掃除機本体１５による塵埃吸引時の吸引風により、収納ケース１７内の粒状又は粉状の脱臭剤１６が排出口２４から排出され、それが、吸引される塵埃と混合して袋状体１１内に堆積することにより、塵埃と脱臭剤１６の接触面積が極めて広く、しかも脱臭剤１６が、集塵袋１０が廃棄或いは、袋状体１１が空にされるまで残っているので、脱臭効果が大きくしかも長時間持続できるので、常に快適に掃除を行うことができる。
【００３６】
さらに、収納ケース１７に設けた排出口２４を覆う覆部材２７の一端２８は、摺動側遮蔽板１９と、固定側遮蔽板２０との間に挟まれ係止されていることにより、覆部材２７のガタ付きが抑えられ、集塵袋１０の運搬時等に起こる振動に対して、収納ケース１６からの脱臭剤１６漏れがなくなり、集塵袋１０の、運搬時、使用時に支障をきたすことが無い。
【００３７】
また、図３、図４において、覆部材２７の一部は、収納ケース１７の排出口２４を覆うように接着固定されており、もう一端２８は、口芯１３に貼り付けられた、摺動側遮蔽板１９と、固定側遮蔽板２０との間に挟まれ係止されており、この覆部材２７の一端２８は、口芯１３の外周面４６より突出させた突出部４７が設けられている。
【００３８】
これによって、収納ケース１７から覆部材２７を取り外す時、突出部４７を持って引き抜いてやれば、収納ケース１７の排出口２４を容易に開口させることとなり、使い勝手が向上する。
【００３９】
また、図３、図４において、覆部材２７の一端２８の突出部４７は、口芯１３の外周面４６近傍で、折返し部４８が設けられている。
【００４０】
このことより、突出部４７と、口芯１３の外周面４６とが、仮で係止されることとなり、低ランニングコストで覆部材２７のガタ付きが抑えられ、結果的に、収納ケース１７の排出口２４を塞ぐ覆部材２７から脱臭材１６が漏れ出すことがなくなる。
【００４１】
また、図４において、遮蔽板１４の固定側遮蔽板２０側には、略円弧状の切り欠き部４９が形成されており、この切り欠き部４９に、覆部材２７の一端２８が挟まれ係止されている。
【００４２】
このことより、簡単な形状で、覆部材２７のガタ付きが抑制され、収納ケース１７の排出口２４を塞ぐ覆部材２７から脱臭材１６が漏れ出すことが防止される。
【００４３】
また、図３において、覆部材２７の一端２８の一部５０に着脱自在の接着部５１が設けられており、この接着部５１は、口芯１３もしくは、遮蔽板１４の摺動側遮蔽板１９の表面に着脱自在に接着固定されている。
【００４４】
このことより、確実に、覆部材２７のガタ付きが防止することが可能となり、その結果、集塵袋１０の保管時における振動、衝撃によって生じる収納ケース１７の排出口２４を塞ぐ覆部材２７から脱臭材１６が漏れ出すことがなくなる。
【００４５】
（実施の形態２）
図８は、本発明の第２の実施の形態における電気掃除機用集塵袋の覆部材を示した斜視図である。なお、上記実施の形態と同一部分については、同一符号を付して、その説明を省略する。
【００４６】
本実施の形態は、図１、図８に示すように、通気性を有する紙等の濾材からなる塵埃を収集する袋状体１１と、塵埃吸引用の開口部１２を有し厚紙又は樹脂材で形成された口芯１３とからなり、前記口芯１３の表面には、前記口芯１３の開口部１２を遮蔽し、塵埃もれを防止する摺動自在に動く遮蔽板１４が設けられている。また、口芯１３の裏面（掃除機本体２７に装着した時に、吸引風の下流側になる面）に取着されると共に粒状又は粉状の脱臭剤１６を収納する収納ケース１７を有している。
【００４７】
また袋状体１１は、収納ケース１７の裏面に接着して取り付けられている。
【００４８】
また、収納ケース１７は、開口部２２を備え、その開口部２２を形成すると共に口芯１１３の開口部１２から流入する吸引風の流れと平行な内周面２３には、収納ケース１７の内部と開口部２２とを連通し、内部に収納された脱臭剤１６が排出される排出口２４が設けられている。
【００４９】
また、収納ケース１７の上端には、収納ケース１７内に脱臭剤１６を投入した後に閉じられる蓋２５が設けられている。
【００５０】
集塵袋１０の組み立ての際には、言うまでもなく、口芯１３の開口部１２と、収納ケース１７の開口部２２及び袋状体１１の吸い込み口２６が連通するように、それぞれの位置を合致させて取着される。
【００５１】
また、収納ケース１７には、運搬時、脱臭剤１６の洩れを防止する為、覆部材２７の一部は、収納ケース１７の排出口２４を覆うように接着固定されており、覆部材２７の一端２８の一部５０に着脱自在の接着部５１が設けられており、この接着部５１によって、覆部材２７の一端２８は、口芯１３側の遮蔽板１４の表面５１に接着固定にて貼り付けられている。
【００５２】
上記構成により、覆部材２７を、口芯１３と遮蔽板１４との間に配設させ組立てる手間がなくなり、覆部材１７を収納ケース１７に貼り付ける作業が簡素化され作業性が向上する。
【産業上の利用可能性】
【００５３】
以上のように、本発明にかかる電気掃除機用集塵袋及び電気掃除機は、塵埃と脱臭剤との接触面積及び接触時間が従来に比べ飛躍的に多くなることにより脱臭効果が著しく向上し、且つ、集塵袋の保管時に起こる衝撃等にも、脱臭剤がこぼれ出ることも無く、使用勝手がよいもので、電気掃除機に限らず、臭気を発する生ゴミ処理機等各種機器の用途にも適用できる。
【図面の簡単な説明】
【００５４】
【図１】本発明の実施の形態１における電気掃除機用集塵袋の分解斜視図
【図２】同電気掃除機用集塵袋の収納ケースの斜視図
【図３】同電気掃除機用集塵袋の覆部材を示した斜視図
【図４】同電気掃除機用集塵袋の遮蔽板を示した斜視図
【図５】同電気掃除機用集塵袋を搭載した電気掃除機の全体斜視図
【図６】同電気掃除機の掃除機本体の断面図
【図７】同電気掃除機の要部断面図
【図８】本発明の実施の形態２における電気掃除機用集塵袋の覆部材を示した斜視図
【図９】従来の電気掃除機用集塵袋を搭載した掃除機本体の断面図
【符号の説明】
【００５５】
１０  電気掃除機用集塵袋（集塵袋）
１１  袋状体
１２  開口部
１３  口芯
１５  掃除機本体
１６  脱臭剤
１７  収納ケース
２４  排出口
２７  覆部材
２８  一端
４６  外周面
４７  突出部
４８  折返し部
４９  切り欠き部
５０  一部
５１  接着部
【図１】
2007037817.tif 000003
【図２】
2007037817.tif 000004
【図３】
2007037817.tif 000005
【図４】
2007037817.tif 000006
【図５】
2007037817.tif 000007
【図６】
2007037817.tif 000008
【図７】
2007037817.tif 000009
【図８】
2007037817.tif 000010
【図９】
2007037817.tif 000011